(57)【要約】【課題】有用性を向上可能な情報処理装置、情報処理システムおよび情報処理方法を提供する。【解決手段】情報処理システム１は、複数の電極１２０と、複数の電極１２０のそれぞれに対応付けて接続される複数の電子タグ１３０であって、電子タグ１３０を一意に特定するタグ情報を記憶する記憶部１３２をそれぞれ備える、複数の電子タグ１３０と、複数の電子タグ１３０に接続され、複数の電極１２０のいずれかが、誘電体と電気的に結合すると、誘電体に結合した電極１２０に対応付けて接続された電子タグ１３０の記憶部１３２に記憶されたタグ情報を読み取る、リーダライタ１１０と、を含む。【選択図】図２
2019050504.tif 000002
【特許請求の範囲】
【請求項１】
複数の電極と、
前記複数の電極のそれぞれに対応付けて接続される複数の電子タグであって、電子タグを一意に特定するタグ情報を記憶する記憶部をそれぞれ備える、複数の電子タグと、
前記複数の電子タグに接続され、前記複数の電極のいずれかが、誘電体と電気的に結合すると、前記誘電体に結合した電極に対応付けて接続された電子タグの記憶部に記憶された前記タグ情報を読み取る、リーダライタと、
を含む、情報処理システム。
【請求項２】
前記リーダライタが読み取った前記タグ情報に基づき、前記誘電体に結合した電極の場所と、前記誘電体が該電極に触れた時刻とを対応付けたログファイルを生成する、情報処理装置をさらに含む、請求項１に記載の情報処理システム。
【請求項３】
前記誘電体に着脱可能な電界通信端末であって、該電界通信端末を一意に特定する端末情報を記憶する記憶部を備える電界通信端末をさらに含み、
前記リーダライタは、前記複数の電極のいずれかが、前記電界通信端末が装着された誘電体と電気的に結合すると、前記端末情報を読み取る、
請求項１に記載の情報処理システム。
【請求項４】
前記リーダライタが読み取った前記タグ情報および前記端末情報に基づき、前記誘電体に結合した電極の場所および前記端末情報または該端末情報に対応付けられたユーザに関するユーザ情報と、前記誘電体が該電極に触れた時刻とを対応付けたログファイルを生成する、情報処理装置をさらに含む、請求項３に記載の情報処理システム。
【請求項５】
複数の電極のいずれかが誘電体と電気的に結合したときに、前記誘電体に結合した電極に対応付けて接続された電子タグを一意に特定するタグ情報を読み取るリーダライタと通信可能に接続される通信部と、
前記通信部から取得した前記タグ情報に基づき、前記誘電体に結合した電極の場所と、前記誘電体が該電極に触れた時刻とを対応付けたログファイルを生成する制御部と
を備える、情報処理装置。
【請求項６】
複数の電極のいずれかが、電界通信端末が装着された状態の誘電体と電気的に結合したときに、前記誘電体に結合した電極に対応付けて接続された電子タグを一意に特定するタグ情報と、前記電界通信端末を一意に特定する端末情報とを読み取るリーダライタと通信可能に接続される通信部と、
前記通信部から取得した、前記タグ情報および前記端末情報に基づき、前記誘電体に結合した電極の場所および前記端末情報または該端末情報に対応付けられたユーザに関するユーザ情報と、前記誘電体が該電極に触れた時刻とを対応付けたログファイルを生成する制御部と
を備える、情報処理装置。
【請求項７】
前記制御部は、前記タグ情報と前記端末情報とが同時に読み取られた場合、該タグ情報と該端末情報とを対応付ける、請求項６に記載の情報処理装置。
【請求項８】
前記制御部は、前記端末情報を検出したとき、いずれの端末情報にも対応付けられていないタグ情報を１つ検出した場合、前記端末情報と前記タグ情報とを対応付ける、請求項６に記載の情報処理装置。
【請求項９】
前記制御部は、前記端末情報を検出した時、いずれの端末情報にも対応付けられていないタグ情報を２つ以上検出した場合、前記端末情報と、前記２つ以上のタグ情報のうち最後に検出されたタグ情報とを対応付ける、請求項６に記載の情報処理装置。
【請求項１０】
前記制御部は、前記対応付けを行った端末情報とタグ情報とに基づいて、前記複数の電極の場所ごとのログファイルおよび／または前記誘電体ごとのログファイルを生成する、請求項６乃至請求項９のいずれか一項に記載の情報処理装置。
【請求項１１】
複数の電極と、前記複数の電極のそれぞれに対応付けて接続される複数の電子タグと、前記複数の電子タグに接続されるリーダライタとを含む情報処理システムにより実行される情報処理方法であって、
前記複数の電極のいずれかが誘電体と電気的に結合すると、前記リーダライタが、前記誘電体に結合した電極に対応付けて接続された電子タグの記憶部に記憶された前記電子タグを一意に特定するタグ情報を読み取るステップ
を含む、情報処理方法。
【請求項１２】
前記情報処理システムは、前記誘電体に着脱可能な電界通信端末をさらに含み、
前記複数の電極のいずれかが、前記電界通信端末が装着された誘電体と電気的に結合すると、前記リーダライタが、前記電界通信端末を一意に特定する端末情報を読み取るステップ
を含む、請求項１１に記載の情報処理方法。
【発明の詳細な説明】
【技術分野】
【０００１】
本発明は、複数の電極のいずれかが誘電体と電気的に結合すると、誘電体に結合した電極に対応付けて接続された電子タグのタグ情報を読み取る情報処理システム、情報処理装置および情報処理方法に関する。
【背景技術】
【０００２】
従来、伝送媒体を介した電界通信により、高周波信号または高周波電力の伝送を行う伝送装置が知られている。例えば、特許文献１には、通信機と、ほぼ９０度の電気長の端末線路とを備え、他の伝送装置に高周波信号または高周波電力を伝送する伝送装置が開示されている。
【先行技術文献】
【特許文献】
【０００３】
【特許文献１】特開２０１７−０９２５３９号
【発明の概要】
【発明が解決しようとする課題】
【０００４】
特許文献１に開示された高周波信号または高周波電力の伝送原理を用いて、例えば電極をそれぞれ異なる機器に設け、人体等の誘電体が触れた電極に基づき、人体がどこに触れたかを検出するシステムを構築することができる。しかしながら、人体が触れたか否かを検出する位置ごとに、検出するためのシステムを構築する場合には、システム構築の手間や、部品点数、コスト等が膨大になる場合がある。
【０００５】
かかる事情に鑑みてなされた本発明の目的は、有用性を向上可能な情報処理システム、情報処理装置および情報処理方法を提供することにある。
【課題を解決するための手段】
【０００６】
上記課題を解決するために、第１の観点に係る情報処理システムは、
複数の電極と、
前記複数の電極のそれぞれに対応付けて接続される複数の電子タグであって、電子タグを一意に特定するタグ情報を記憶する記憶部をそれぞれ備える、複数の電子タグと、
前記複数の電子タグに接続され、前記複数の電極のいずれかが、誘電体と電気的に結合すると、前記誘電体に結合した電極に対応付けて接続された電子タグの記憶部に記憶された前記タグ情報を読み取る、リーダライタと、を含む。
【０００７】
また、第２の観点に係る情報処理システムは、
前記リーダライタが読み取った前記タグ情報に基づき、前記誘電体に結合した電極の場所と、前記誘電体が該電極に触れた時刻とを対応付けたログファイルを生成する、情報処理装置をさらに含む。
【０００８】
また、第３の観点に係る情報処理システムは、
前記誘電体に着脱可能な電界通信端末であって、該電界通信端末を一意に特定する端末情報を記憶する記憶部を備える電界通信端末をさらに含み、
前記リーダライタは、前記複数の電極のいずれかが、前記電界通信端末が装着された誘電体と電気的に結合すると、前記端末情報を読み取る。
【０００９】
また、第４の観点に係る情報処理システムは、
前記リーダライタが読み取った前記タグ情報および前記端末情報に基づき、前記誘電体に結合した電極の場所および前記端末情報または該端末情報に対応付けられたユーザに関するユーザ情報と、前記誘電体が該電極に触れた時刻とを対応付けたログファイルを生成する、情報処理装置をさらに含む。
【００１０】
また、第５の観点に係る情報処理装置は、
複数の電極のいずれかが誘電体と電気的に結合したときに、前記誘電体に結合した電極に対応付けて接続された電子タグを一意に特定するタグ情報を読み取るリーダライタと通信可能に接続される通信部と、
前記通信部から取得した前記タグ情報に基づき、前記誘電体に結合した電極の場所と、前記誘電体が該電極に触れた時刻とを対応付けたログファイルを生成する制御部と
を備える。
【００１１】
また、第６の観点に係る情報処理装置は、
複数の電極のいずれかが、電界通信端末が装着された状態の誘電体と電気的に結合したときに、前記誘電体に結合した電極に対応付けて接続された電子タグを一意に特定するタグ情報と、前記電界通信端末を一意に特定する端末情報とを読み取るリーダライタと通信可能に接続される通信部と、
前記通信部から取得した、前記タグ情報および前記端末情報に基づき、前記誘電体に結合した電極の場所および前記端末情報または該端末情報に対応付けられたユーザに関するユーザ情報と、前記誘電体が該電極に触れた時刻とを対応付けたログファイルを生成する制御部と
を備える。
【００１２】
また、第７の観点に係る情報処理装置は、
前記制御部は、前記タグ情報と前記端末情報とが同時に読み取られた場合、該タグ情報と該端末情報とを対応付ける。
【００１３】
また、第８の観点に係る情報処理装置は、
前記制御部は、前記端末情報を検出したとき、いずれの端末情報にも対応付けられていないタグ情報を１つ検出した場合、前記端末情報と前記タグ情報とを対応付ける。
【００１４】
また、第９の観点に係る情報処理装置は、
前記制御部は、前記端末情報を検出した時、いずれの端末情報にも対応付けられていないタグ情報を２つ以上検出した場合、前記端末情報と、前記２つ以上のタグ情報のうち最後に検出されたタグ情報とを対応付ける。
【００１５】
また、第１０の観点に係る情報処理装置は、
前記制御部は、前記対応付けを行った端末情報とタグ情報とに基づいて、前記複数の電極の場所ごとのログファイルおよび／または前記誘電体ごとのログファイルを生成する。
【００１６】
また、第１１の観点に係る情報処理方法は、
複数の電極と、前記複数の電極のそれぞれに対応付けて接続される複数の電子タグと、前記複数の電子タグに接続されるリーダライタとを含む情報処理システムにより実行される情報処理方法であって、
前記複数の電極のいずれかが誘電体と電気的に結合すると、前記リーダライタが、前記誘電体に結合した電極に対応付けて接続された電子タグの記憶部に記憶された前記電子タグを一意に特定するタグ情報を読み取るステップを含む。
【００１７】
また、第１２の観点に係る情報処理方法は、
前記情報処理システムは、前記誘電体に着脱可能な電界通信端末をさらに含み、
前記複数の電極のいずれかが、前記電界通信端末が装着された誘電体と電気的に結合すると、前記リーダライタが、前記電界通信端末を一意に特定する端末情報を読み取るステップを含む。
【発明の効果】
【００１８】
本発明に係る情報処理システム、情報処理装置および情報処理方法によれば、有用性を向上可能である。
【００１９】
本発明のさらに他の目的、特徴や利点は、後述する本発明の実施形態や添付する図面に基づくより詳細な説明によって明らかになるであろう。
【図面の簡単な説明】
【００２０】
【図１】本発明の第１実施形態に係る情報処理システムの概略図である。
【図２】図１の情報処理システムにおいてタグ情報を読み取る様子を模式的に示す図である。
【図３】図１の情報処理システムにおいて電界通信が確立される原理について説明する図である。
【図４】図１の情報処理システムにおいて電界通信が確立される原理について説明する図である。
【図５】図１の情報処理装置の制御部が生成するログファイルの一例を示す図である。
【図６】本発明の第２実施形態に係る情報処理システムの概略図である。
【図７】図６の電界通信端末の本体の概略構成の一例を示す機能ブロック図である。
【図８】電界通信端末を誘電体に結合させた状態を模式的に示す図である。
【図９】図６の情報処理システムにおいて電界通信を確立可能な結合状態の一例を模式的に示す図である。
【図１０】図６の情報処理システムにおいて電界通信を確立しない結合状態の一例を模式的に示す図である。
【図１１】電界通信端末を人体に結合して構成した情報処理システムの一例を模式的に示す図である。
【図１２】図６の情報処理装置の制御部が生成するログファイルの一例を示す図である。
【図１３】図６の情報処理装置の制御部による情報処理の一例を示すフローチャートである。
【図１４】図６の情報処理装置の制御部が生成する場所ごとのログファイルの一例を示す図である。
【図１５】図６の情報処理装置の制御部が生成するユーザごとのログファイルの一例を示す図である。
【図１６】電界通信端末の一変形例の概略構成を示す機能ブロック図である。
【図１７】情報処理システムの一実装例を模式的に示す図である。
【図１８】情報処理システムの他の一実装例を模式的に示す図である。
【発明を実施するための形態】
【００２１】
以下、本発明の実施形態について、図面を参照して詳細に説明する。
【００２２】
（第１実施形態）
図１は、本発明の第１実施形態に係る情報処理システム１の概略図である。情報処理システム１は、複数の電極と、複数の電子タグと、リーダライタ１１０と、情報処理装置１４０とを備える。
【００２３】
図１では、複数の電極として、４つの電極１２０ａ、１２０ｂ、１２０ｃおよび１２０ｄが一例として図示されている。しかしながら、電極の数は４つに限られない。電極の数は、２つ以上であればよい。本実施形態では、複数の電極が、４つの電極１２０ａ、１２０ｂ、１２０ｃおよび１２０ｄであるとして、以下説明する。また、本実施形態において、４つの電極１２０ａ、１２０ｂ、１２０ｃおよび１２０ｄを区別しない場合には、これらをまとめて「電極１２０」と記載する。
【００２４】
複数の電極１２０ａ、１２０ｂ、１２０ｃおよび１２０ｄは、それぞれ異なる場所に配置される。電極１２０ａ、１２０ｂ、１２０ｃおよび１２０ｄが配置される場所を、それぞれ場所Ａ、場所Ｂ、場所Ｃおよび場所Ｄとする。
【００２５】
複数の電子タグは、複数の電極のそれぞれに対応付けて接続される。すなわち、図１に示す例では、情報処理システム１は、４つの電極１２０ａ、１２０ｂ、１２０ｃおよび１２０ｄにそれぞれ対応付けられた４つの電子タグ１３０ａ、１３０ｂ、１３０ｃおよび１３０ｄを備える。ただし、電子タグの数は４つに限られない。電子タグの数は、電極の数に応じて適宜設けられる。本実施形態において、４つの電子タグ１３０ａ、１３０ｂ、１３０ｃおよび１３０ｄを区別しない場合には、これらをまとめて「電子タグ１３０」と記載する。各電極１２０は、それぞれ対応付けられた電子タグ１３０に電気的に結合される。電子タグ１３０と電極１２０との接続との長さは、情報処理システム１において伝送される高周波信号の波長の４分の１の長さよりも十分短い長さである。高周波信号の波長の４分の１の長さの詳細については、後述する。
【００２６】
電子タグ１３０は、それぞれ送受信部および記憶部を備える。例えば、４つの電子タグ１３０ａ、１３０ｂ、１３０ｃおよび１３０ｄは、それぞれ、送受信部１３１ａ、１３１ｂ、１３１ｃおよび１３１ｄと、記憶部１３２ａ、１３２ｂ、１３２ｃおよび１３２ｄとを備える。４つの送受信部１３１ａ、１３１ｂ、１３１ｃおよび１３１ｄを区別しない場合には、これらをまとめて「送受信部１３１」と記載する。また、４つの記憶部１３２ａ、１３２ｂ、１３２ｃおよび１３２ｄを区別しない場合には、これらをまとめて「記憶部１３２」と記載する。
【００２７】
送受信部１３１は、情報処理システム１におけるリーダライタ１１０との電界通信において、例えば１０ｋＨｚから１０ＧＨｚの高周波信号（または高周波電力）を送受信する。送受信部１３１は、後述するように電界通信が確立しているとき、記憶部１３２に記憶された情報を、高周波信号としてリーダライタ１１０に送信する。
【００２８】
記憶部１３２は、各種情報を記憶する。記憶部１３２は、例えばＩＣ（Integrated Circuit）チップにより構成されていてよい。記憶部１３２は、電子タグ１３０に関する情報（以下、「タグ情報」とも称する）を記憶する。タグ情報は、電子タグ１３０を一意に特定する情報であり、電子タグ１３０と１対１に対応付けられた固有の識別情報である。電子タグ１３０は電極１２０に対応付けられており、電極１２０は特定の場所に配置されていることから、１つのタグ情報は、電子タグ１３０、電極１２０および当該電極１２０が配置された場所と、１対１に対応する。すなわち、タグ情報は電極が配置された場所に関する情報であり、例えば場所を特定するＩＤまたは場所名等を含んでよい。
【００２９】
電子タグ１３０は、リーダライタ１１０に電気的に結合される。すなわち、各電極１２０は、それぞれ対応する電子タグ１３０を介してリーダライタ１１０に電気的に結合される。また、電子タグ１３０は、いわゆるアンチコリジョン機能を有する。これにより、リーダライタ１１０は、複数の電子タグ１３０の情報を読み取ることができる。
【００３０】
リーダライタ１１０は、例えばグランドに接続されている。リーダライタ１１０は、制御部１１１と、送信部１１２と、受信部１１３と、通信部１１４とを備える。リーダライタ１１０は、制御部１１１の制御により、送信部１１２から読取信号を送信し、電極１２０に人体等が接触して電子タグに電流が流れている場合に、受信部１１３でタグ情報を含む信号（反射波）を受信する。
【００３１】
通信部１１４は、情報処理装置１４０と通信を行うことにより、各種情報を送受信する。通信部１１４は、例えばリーダライタ１１０が読み取った反射波に含まれる情報を、情報処理装置１４０に送信する。通信部１１４は、例えば有線または無線により情報処理装置１４０と通信を行うことができる。
【００３２】
情報処理装置１４０は、各種情報処理を実行可能である。情報処理装置１４０は、例えばコンピュータ装置により構成されていてよい。情報処理装置１４０は、制御部１４１と、記憶部１４２と、通信部１４３とを備える。
【００３３】
制御部１４１は、情報処理装置１４０の各機能ブロックをはじめとして、情報処理装置１４０の全体を制御および管理するプロセッサである。制御部１４１は、制御手順を規定したプログラムを実行するＣＰＵ（Central Processing Unit）等のプロセッサで構成される。このようなプログラムは、例えば記憶部１４２または外部の記憶媒体に格納される。
【００３４】
制御部１４１は、情報処理装置１４０がリーダライタ１１０から取得した情報について、所定の処理を実行する。制御部１４１が実行する所定の処理の詳細については後述する。
【００３５】
記憶部１４２は、半導体メモリまたは磁気メモリ等で構成することができ、各種情報や情報処理装置１４０を動作させるためのプログラム等を記憶する。記憶部１４２は、ワークメモリとしても機能してよい。記憶部１４２は、例えば、情報処理装置１４０がリーダライタ１１０から取得した情報や、制御部１４１が所定の処理を行ったデータ等を記憶する。また、記憶部１４２は、例えば、タグ情報と、当該タグ情報を有する電子タグ１３０に対応付けられた電極１２０が配置された場所とに関するリストを記憶する。
【００３６】
通信部１４３は、リーダライタ１１０と通信を行うことにより、各種情報を送受信する。通信部１４３は、例えばリーダライタ１１０が読み取った反射波に含まれる情報を、リーダライタ１１０から受信する。通信部１４３は、例えば有線または無線によりリーダライタ１１０と通信を行うことができる。
【００３７】
図２は、図１の情報処理システム１においてタグ情報を読み取る様子を模式的に示す図である。図１に示すように、複数の電極１２０の全てが誘電体と接触していない場合、リーダライタ１１０から読取信号が送信されても、情報処理システム１において電子タグに電流が流れず、タグ情報を含む反射波が発生しないため、リーダライタ１１０は、信号を受信することがない。
【００３８】
一方、図２に示すように、例えばある人が手を電極１２０ａに触れたとする。この場合、誘電体である人体に電流が流れることにより、人体が仮想的なグランドとして機能する。これにより、グランドに接続されたリーダライタ１１０と、仮想的なグランドとして機能する人体とが、電極１２０ａにより電気的に結合されることにより、１個の通信路のみで構成させる開回路でありながら、全体として、仮想的なグランドを介して、あたかも閉回路のように動作する。そのため、電子タグ１３０ａから、タグ情報を含む信号が送り出される。これにより、リーダライタ１１０には、電子タグ１３０ａを通る回路からの反射波が入射する。この反射波には、電子タグ１３０ａの記憶部に記憶されたタグ情報が含まれるため、リーダライタ１１０は、反射波に含まれるタグ情報を読み取ることができる。リーダライタ１１０が読み取ったタグ情報は、リーダライタ１１０から情報処理装置１４０に送信される。情報処理装置１４０は、取得したタグ情報に基づき、記憶部１４２に記憶されたリストを参照して、どの場所の電極１２０が触れられたかを判定することができる。情報処理装置１４０は、触れられた電極１２０の場所と、触れられた時刻とを対応付けたログファイルを記憶部１４２に記憶させることができる。
【００３９】
ここで、電界通信が確立される原理について、図３および図４を参照して説明する。図１を参照して説明したように、電極１２０と、電子タグ１３０と、リーダライタ１１０とは、電気的に結合されている。リーダライタ１１０は、グランドに接続されている。リーダライタ１１０は、読取信号を電極１２０に送信する。情報処理システム１において送受信される信号は、例えば１０ｋＨｚから１０ＧＨｚの高周波信号である。
【００４０】
誘電体である人体が、例えば人体の一部である手で電極１２０に触ると、電極１２０と接触した人体が端末線路１６０として機能する。このとき、端末線路１６０が仮想的なグランドとして機能する。
【００４１】
ここで、仮想的なグランドとして機能する端末線路１６０について説明する。本実施形態において、端末線路１６０は、誘電体である人体により構成される。リーダライタ１１０から読取信号としての高周波信号が発信されると、電極１２０に電気的に結合された端末線路１６０に高周波信号が伝送され、端末線路１６０に電流が流れる。
【００４２】
ここで、端末線路１６０は、９０度の電気長を有する。９０度の電気長とは、端末線路１６０の電極１２０側の端部１６０ａからもう一方の端部１６０ｂまでの線路の長さが、伝送する高周波信号の波長の４分の１の長さである。すなわち、９０度の電気長とは、端末線路１６０の電極１２０側の端部１６０ａからもう一方の端部１６０ｂまでに至るあいだに、伝送する高周波信号の位相が９０度進む長さである。
【００４３】
従って、端末線路１６０の電極１２０側の端部１６０ａから端末線路１６０側に流れる電流が、端末線路１６０のもう一方の端部１６０ｂで反射し、一往復してふたたび電極１２０側の端部１６０ａに戻ると、高周波信号は、それまでの間に２分の１波長分の距離を経て、位相が１８０度進む。
【００４４】
このとき、図３に示すように、電気長が９０度、すなわち長さが伝送する高周波信号の波長の４分の１で、端部１６０ｂが開放された端末線路１６０に、高周波信号が入力されるので、端部１６０ｂの電圧振幅が最大で電流振幅がゼロ、端部１６０ａの電圧振幅がゼロで電流振幅が最大の定在波が端末線路１６０に発生し、端部１６０ａに電流が流れる。すなわち、端末線路１６０が９０度の電気長を有する場合には、端部１６０ａの電圧振幅がゼロである一方、電流が流れるので、図４に模式的に示すように、電極１２０は、仮想的にグランドに短絡された状態となる。このように、端末線路１６０は、仮想的なグランドとして機能することができる。
【００４５】
図３に示すように、端末線路１６０の電気長が９０度のとき、すなわち、端末線路１６０において端部１６０ａから入力された信号がもう一方の端部１６０ｂで反射して一往復してくる反射波の位相が１８０度のとき、端部１６０ａに流れる電流が最大になる。そのため、端末線路１６０の電気長が９０度の場合、最も効率的に高周波の伝送が行われる。ただし、高周波の伝送を行うに際しては、端末線路１６０の電気長が９０度を中心に±４５度の範囲内、つまり反射波の位相が９０度より大きく２７０度より小さい範囲内で動作しても、高周波を伝送するための所定の効果を生じる。従って、端末線路１６０は、９０度を中心に±４５度の範囲内を含む、ほぼ９０度の電気長を有していればよい。また、端末線路１６０は、（（２ｎ＋１）・９０±４５）度の電気長（但し、ｎは０以上の整数）を有していてもよい。端末線路１６０は、（（２ｎ＋１）・９０±４５）度の電気長を有する場合、図３を参照して説明したのと同様の原理により、仮想的なグランドとして機能する。
【００４６】
情報処理システム１では、人体が端末線路１６０として機能する所定の周波数の電界信号が使用される。当該所定の周波数は、例えば１３．５６ＭＨｚとすることができる。電界信号の周波数が１３．５６ＭＨｚである場合、成人の一般的な身長（例えば１７０cm）の人体において、端末線路１６０の長さが約９０度の電気長となる。
【００４７】
上述の説明では、高周波信号の伝送が確立される原理について説明したが、高周波電力についても、同様の原理で伝送が実現される。
【００４８】
次に、情報処理装置１４０の制御部１４１が実行する処理の一例について説明する。制御部１４１は、リーダライタ１１０から取得した情報に基づき、人体により触れられた電極１２０の場所と、触れられた時刻とを対応付けたログを記録することにより、ログファイルを生成する。図５は、情報処理装置１４０の制御部１４１が生成するログファイルの一例を示す図である。
【００４９】
例えば、時刻１２：０３に、ある人が電極１２０ａに触れたとする。このとき、上述の原理により高周波信号の伝送が確立され、電子タグ１３０ａの記憶部１３２ａに記憶されたタグ情報がリーダライタ１１０により読み取られる。リーダライタ１１０は、読み取ったタグ情報を、情報処理装置１４０に送信する。情報処理装置１４０の制御部１４１は、記憶部１４２に記憶されたリストを参照して、リーダライタ１１０から取得したタグ情報が、どの場所の電極に対応するものかを判定する。この場合、制御部１４１は、タグ情報が場所Ａに対応すると判定できる。そして、制御部１４１は、図５に示すように、電極１２０ａが触れられた時刻１２：０３に、場所Ａが触れられたことをログファイルに記録する。電極１２０ａは、時刻１２：０３から時刻１２：０６まで触れられている場合、制御部１４１は、リーダライタ１１０から取得したタグ情報に基づき、同様の処理を行って、図５に示すように、電極１２０ａが、時刻１２：０３から時刻１２：０６まで触れられていたことをログファイルに記録する。
【００５０】
また、例えば時刻１２：０５から時刻１２：０７まで、別の人が電極１２０ｂに触れていたとする。この場合、制御部１４１は、上述の処理と同様にして、リーダライタ１１０から取得したタグ情報に基づき、図５に示すように、電極１２０ｂが、時刻１２：０５から時刻１２：０６まで触れられていたことをログファイルに記録する。
【００５１】
このようにして、制御部１４１によりログファイルが生成される。制御部１４１は、生成したログファイルを、記憶部１４２に記憶させることができる。
【００５２】
このようにして、情報処理システム１によれば、いつ、どの場所の電極１２０が触れられたかに関するログを生成することができる。情報処理システム１では、１つのリーダライタ１１０に複数の電極１２０が接続されており、リーダライタ１１０は、誘電体である人体が触れられた電極１２０に対応する電子タグ１３０のタグ情報を読み取ることができる。そのため、例えば１つの電極に対して１つのリーダライタを接続して、電極が触れられたかを検出するという構成と比較して、システム構築の手間やコストを抑えることができる。これにより、情報処理システム１によれば、有用性が向上する。
【００５３】
（第２実施形態）
図６は、本発明の第２実施形態に係る情報処理システム２の概略図である。第２実施形態に係る情報処理システム２は、リーダライタ１１０と、複数の電極１２０と、複数の電子タグ１３０と、情報処理装置１４０と、電界通信端末１５０とを備える。情報処理システム２が備えるリーダライタ１１０、複数の電極１２０、複数の電子タグ１３０および情報処理装置１４０の構成および機能は、それぞれ第１実施形態に係る情報処理システム１が備えるリーダライタ１１０、複数の電極１２０、複数の電子タグ１３０および情報処理装置１４０の構成および機能と同じであるため、ここでは詳細な説明を省略する。ただし、本実施形態では、情報処理装置１４０の記憶部１４２は、タグ情報と、当該タグ情報を有する電子タグ１３０に対応付けられた電極１２０が配置された場所とに関するリストに加え、後述する端末情報と、当該端末情報に対応付けられたユーザ情報とに関するリストを記憶する。ユーザ情報とは、ユーザに関する情報であり、例えばユーザを特定するＩＤまたはユーザ名等を含んでよい。
【００５４】
電界通信端末１５０は、ユーザが装着して使用する。電界通信端末１５０は、例えば手首または腕等に装着される。電界通信端末１５０は、ユーザに装着された状態で、電界信号を用いた電界通信可能に構成されている。
【００５５】
電界通信端末１５０は、本体１５１と、装着部１５２とを備える。本体１５１は、電界通信端末１５０が電界通信を行うための各機能部を備える。本体１５１が備える各機能部の詳細については後述する。装着部１５２は、ユーザが電界通信端末１５０の装着状態を維持するための機構である。装着部１５２は、例えば、ユーザが手首または腕等に巻きつけて装着可能なベルト、リストバンドまたはアームバンドとして構成されている。ただし、装着部１５２は、ベルトに限られず、ユーザが着脱可能な任意の形態として構成されていてよい。装着部１５２は、例えば指輪の形状を有し、ユーザの指に着脱可能に構成されていてもよい。本実施形態では、電界通信端末１５０がユーザの手首に装着されるとして、以下説明する。
【００５６】
図７は、電界通信端末１５０の本体１５１の概略構成の一例を示す機能ブロック図である。本体１５１は、記憶部１５３と、送受信部１５４と、第１結合電極１５５と、第２結合電極１５６とを備える。
【００５７】
記憶部１５３は、各種情報を記憶する。記憶部１５３は、例えばＩＣチップにより構成されていてよい。記憶部１５３は、電界通信端末１５０に関する情報（以下、「端末情報」とも称する）を記憶する。端末情報は、電界通信端末１５０を一意に特定する情報であり、電界通信端末１５０と１対１に対応付けられた固有の識別情報である。例えば電界通信端末１５０が、各個人のユーザにより所有されるものである場合、１つの端末情報は、ユーザと１対１に対応する。
【００５８】
送受信部１５４は、情報処理システム２で実現される電界通信において、例えば１０ｋＨｚから１０ＧＨｚの高周波信号（または高周波電力）を送受信する。送受信部１５４は、情報処理システム２における電界通信が確立しているとき、記憶部１５３に記憶された端末情報を、高周波信号としてリーダライタ１１０に送信する。
【００５９】
第１結合電極１５５および第２結合電極１５６は、ユーザが電界通信端末１５０を装着した状態（以下「装着状態」ともいう）において、誘電体である人体と結合する結合電極である。すなわち、第１結合電極１５５および第２結合電極１５６は、本体１５１において、装着状態で、ユーザと接触する位置に配置される。
【００６０】
電界通信端末１５０は、図３および図４で説明したものと同様の原理で、電界通信を行うことができる。この場合、図３で示した電極１２０と端末線路１６０との間に、電界通信端末１５０が配置される。電極１２０と電界通信端末１５０とは、第１結合電極１５５に接触する人体の一部（例えば手首よりも末端側）が伝送媒体として機能することにより、電気的に結合される。また、第２結合電極１５６に接触する人体の一部（手首よりも末端側を除く体全体）が、図３における端末線路１６０として機能する。
【００６１】
ここで、人体が伝送媒体および端末線路として機能する原理について説明する。図８は、電界通信端末１５０を誘電体７００に結合させた状態を模式的に示す図である。図８では、誘電体７００を模式的に円柱形状で示している。
【００６２】
図８に示すように、円柱形状の誘電体７００は、第１底面（第１端）７１０ａおよび第２底面（第２端）７１０ｂを備える。円柱形状の誘電体７００の高さは、誘電体７００の底面（第１底面７１０ａおよび第２底面７１０ｂ）の直径よりも長い。以下、円柱の高さ方向を長手方向ともいう。
【００６３】
電界通信端末１５０は、第１結合電極１５５および第２結合電極１５６が誘電体７００の長手方向に沿って並ぶように、誘電体７００に結合される。ここでは、第１底面７１０ａに近い側に第１結合電極１５５が結合され、第２底面７１０ｂに近い側に第２結合電極１５６が結合されるとする。
【００６４】
電界通信端末１５０が結合された誘電体７００において、第１結合電極１５５が結合された位置よりも第１底面７１０ａ側の領域を第１領域７００ａとし、第２結合電極１５６が結合された位置よりも第２底面７１０ｂ側の領域を第２領域７００ｂとする。第１領域７００ａの高さ（長手方向の長さ）をＬａとし、第２領域７００ｂの高さをＬｂとする。ユーザが、電界通信端末１５０の第１結合電極１５５および第２結合電極１５６を、誘電体７００に対して、次に説明する所定の位置に結合させることにより、第１領域７００ａは伝送媒体として機能し、第２領域７００ｂは端末線路として機能する。
【００６５】
ここで、第１領域７００ａが伝送媒体として機能し、第２領域７００ｂが端末線路として機能するための上記所定の位置について説明する。電界通信端末１５０は、誘電体７００において、長さＬｂが（（２ｎ＋１）・９０）度の電気長となる位置に結合される。長さＬｂが（（２ｎ＋１）・９０）度の電気長である場合、図９に示すように第１領域７００ａが、電極１２０と結合すると、電界通信端末１５０、誘電体７００、電子タグ１３０およびリーダライタ１１０により電界通信が確立される。この場合、図４を参照して説明した原理により、第２領域７００ｂの第２底面７１０ｂにおいて、電圧振幅が最大で電流振幅がゼロ、第２領域７００ｂの第２結合電極１５６が結合された側の端部において、電圧振幅がゼロで電流振幅が最大の定在波が発生する。そのため、送受信部１５４から、第２結合電極１５６を介して誘電体７００の第２領域７００ｂに向かって電流が流れるとともに、第１結合電極１５５を介して第１領域７００ａに向かって電流が流れる。その結果、電界通信端末１５０は、リーダライタ１１０との間で、第１領域７００ａを伝送媒体とした通信を行うことが可能になる。このように、第２領域７００ｂは、図３で示した端末線路１６０と同様の機能を有する。
【００６６】
こうして電界通信が確立されると、リーダライタ１１０から送信された読取信号に対し、タグ情報および端末情報を含む信号（反射波）が発生する。リーダライタ１１０は、反射波に含まれるタグ情報および端末情報を読み取ることができる。リーダライタ１１０が読み取ったタグ情報および端末情報を、情報処理装置１４０に送信すると、情報処理装置１４０は、取得したタグ情報および端末情報に基づき、記憶部１４２に記憶されたリストを参照して、どの場所の電極１２０がどの電界通信端末１５０のユーザに触れられたかを判定することができる。情報処理装置１４０は、触れられた電極１２０の場所と、電極１２０に触れたユーザとを対応付けたログファイルを生成し、記憶部１４２に記憶させることができる。
【００６７】
なお、図３の説明でも述べたように、端末線路１６０の電気長が９０度を中心に±４５度の範囲内、つまり反射波の位相が９０度より大きく２７０度より小さい範囲内で動作しても、高周波を伝送するための所定の効果を生じる。そのため、第２領域７００ｂが端末線路として機能するためには、長さＬｂは、（（２ｎ＋１）・９０±４５）度の範囲の電気長となる位置に結合されればよい。
【００６８】
ここで、電界通信端末１５０は、誘電体７００において、長さＬａが（２ｎ・９０）度の電気長となる位置に結合される。仮に、長さＬａも、長さＬｂと同様に（（２ｎ＋１）・９０）度の電気長である場合、図１０に示すように第２領域７００ｂが電極１２０と結合すると、第１領域７００ａが端末線路として機能し、第２領域７００ｂが伝送媒体として機能する。すなわち、この構成では、第１領域７００ａおよび第２領域７００ｂのいずれも、端末線路として機能し得る。
【００６９】
しかしながら、電極１２０が、誘電体７００において、第１領域７００ａの長さＬａが（２ｎ・９０）度の電気長となる位置に結合した場合、第１領域７００ａの第１結合電極１５５が結合された側の端部において、図３に示した定在波は発生しない。そのため、図１０に示すように第２領域７００ｂが電極１２０と結合しても、第１領域７００ａは端末線路として機能せず、仮想的なグランドが形成されないので、情報処理システム２において通信が確立されない。
【００７０】
このように、第１領域７００ａの長さＬａが（２ｎ・９０）度の電気長となり、第２領域７００ｂの長さＬｂが（２（ｎ＋１）・９０）度の電気長となる位置に電界通信端末１５０を結合させた場合、誘電体７００の第２領域７００ｂは、端末線路として機能するが、誘電体７００の第１領域７００ａは、端末線路として機能しない。そのため、電界通信端末１５０は、電極１２０が、第１領域７００ａに結合した場合に通信が確立され、第２領域７００ｂに結合した場合には通信が確立されない。
【００７１】
このように、電界通信端末１５０を誘電体７００の所定の位置に結合することにより、誘電体７００において、電極１２０と結合した際に通信を確立可能な領域と通信を確立不可能な領域とを形成することができる。すなわち、このようにして、誘電体７００において通信を確立可能な領域を制限することができる。そのため、電界通信端末１５０を、誘電体７００において上記所定の位置に結合した場合、通信を確立可能な領域を制限できるので、意図しない通信が発生しにくくなる。本実施形態における電界通信端末１５０によれば、このように、ユーザが意図しない接触によるログの取得が行われないため、この点において取得されるログの信頼性が向上する。
【００７２】
なお、電界通信端末１５０は、第１領域７００ａの長さＬａが第１領域７００ａにおいて定在波が発生しない長さとなる位置に結合されればよい。そのため、電界通信端末１５０は、長さＬａが（２ｎ・９０±４５）度の範囲の電気長となる位置に結合されればよい。
【００７３】
図１１は、電界通信端末１５０を誘電体である人体７２０に結合して構成した情報処理システム２の一例を示す図である。図１１に示すように、電界通信端末１５０は、例えば人体の手首等に装着されることによって、第１結合電極１５５および第２結合電極１５６と人体７２０とが結合される。このとき、第１結合電極１５５および第２結合電極１５６は、腕の胴体側から末端側に沿って並ぶように、人体７２０に結合される。電界通信端末１５０を人体７２０に結合する場合、電界通信端末１５０は、例えばリストバンドまたはアームバンド等、手首または腕等に装着可能な態様で形成されてもよい。
【００７４】
電界通信端末１５０を人体７２０に結合させると、電界通信端末１５０は、末端側に結合した第１結合電極１５５から末端（例えば指先）までが図８に示した第１領域７００ａ、胴体側の第２結合電極１５６から腕、胴体および足の全体が図８に示した第２領域７００ｂとなるよう、所定の周波数の電界信号を使用する。当該所定の周波数は、例えば１３．５６ＭＨｚとすることができる。電界信号の周波数が１３．５６ＭＨｚである場合、胴体側の第２結合電極１５６を、手首付近で人体７２０に結合させると、成人の一般的な身長（例えば１７０cm）の人体７２０において、第２領域の長さが約９０度の電気長となり、第１領域の長さが４５度未満の電気長となる。以下、電界通信端末１５０が使用する信号の周波数は、１３．５６ＭＨｚであるとして説明する。また、末端側の第１結合電極１５５から末端（例えば指先）までを、人体７２０の末端側７２０ａといい、胴体側の第２結合電極１５６から腕、胴体および足の全体を、人体７２０の胴体側７２０ｂという。
【００７５】
電界通信端末１５０を装着した人体７２０が、例えば指先で電極１２０に触れると、人体７２０の胴体側７２０ｂにおいて、定在波が発生し、仮想的なグランドが形成される。すなわち、胴体側７２０ｂが端末線路として機能する。また、末端側７２０ａは、伝送媒体として機能する。これにより、伝送媒体として機能する人体７２０を介して、情報処理システム２における電界通信が実現される。
【００７６】
本実施形態においては、電界通信端末１５０を装着した人体７２０の胴体側７２０ｂが電極１２０と結合しても、末端側７２０ａは、端末線路として機能しないので、通信が確立されない。すなわち、本実施形態に係る情報処理システム２によれば、電界通信を実現可能な一方で、意図しない通信が発生しにくくなるため、ユーザが意図しない接触によるログの取得が行われないため、取得されるログの信頼性が向上する。
【００７７】
本実施形態に係る情報処理システム２において、上述の原理により情報処理システム２における電界通信が行われる。電界通信により、リーダライタ１１０は、電界通信が確立された回路の電子タグ１３０のタグ情報と、電極１２０に触れたユーザの電界通信端末１５０の端末情報を読み取ることができる。
【００７８】
次に、本実施形態において、情報処理装置１４０の制御部１４１が実行する処理の一例について説明する。制御部１４１は、リーダライタ１１０から取得したタグ情報に基づき、人体により触れられた電極１２０の場所と、電極１２０が触れられた時刻とを対応付けたログを記録することにより、ログファイルを生成する。また、制御部１４１は、リーダライタ１１０から取得した端末情報に基づき、当該端末情報と、電極１２０が触れられた時刻とを対応付けたログを記録することにより、ログファイルを生成する。制御部１４１は、リーダライタ１１０から取得した端末情報に基づき、記憶部１４２に記憶されたリストを参照して、電極に触れたユーザのユーザ情報と、電極１２０が触れられた時刻とを対応付けたログを記録することにより、ログファイルを生成してもよい。ユーザ情報は、例えばリーダライタ１１０から取得した端末情報に対応付けられたユーザ情報である。本実施形態では、制御部１４１が、人体により触れられた電極１２０の場所および電極に触れたユーザのユーザ情報と、電極１２０が触れられた時刻とを対応付けたログを記録することにより、ログファイルを生成するとして、以下説明する。
【００７９】
図１２は、制御部１４１が生成するログファイルの一例を示す図である。図１２に示す例では、時刻１２：０３から時刻１２：０６まで、場所Ａの電極１２０ａが触れられているというログが記録されている。また、図１２に示す例では、時刻１２：０５から時刻１２：０７まで、場所Ｂの電極１２０ｂが触れられているというログが記録されている。また、図１２に示す例では、時刻１２：０４から時刻１２：０６まで、ユーザ３が電極１２０に触れているというログが記録されている。また、図１２に示す例では、時刻１２：０６から時刻１２：０７まで、ユーザ２が電極１２０に触れているというログが記録されている。
【００８０】
制御部１４１は、ログファイルに記録された電極１２０の場所と、電極１２０に触れたユーザとの対応付けを行い、場所ごとおよびユーザごとのログファイルを生成する。
【００８１】
ここで、制御部１４１が実行する対応付けの処理について説明する。ユーザが電界通信端末１５０を装着した手で電極１２０に触ると、電界通信が確立され、触られた電極１２０に接続された電子タグ１３０のタグ情報と、ユーザが装着する電界通信端末１５０の端末情報とが同時に読み取られる。この場合、当該タグ情報と端末情報とは、互いに対応付けられていない状態である。制御部１４１は、互いに対応付けられていないタグ情報と端末情報とが同時に読み取られた場合、当該読み取られたタグ情報と端末情報とを対応付ける。
【００８２】
電極１２０に触れたユーザが、手を電極１２０から離すと、電界通信が確立されなくなり、互いに対応付けられていたタグ情報と端末情報とが読み取られなくなる。対応付けられていたタグ情報と端末情報とが読み取られなくなった場合、制御部１４１は、当該タグ情報と端末情報との対応付けを解消する。
【００８３】
図１３は、制御部１４１による情報処理の一例を示すフローチャートであり、タグ情報と端末情報との対応付けの具体的な処理の一例を示すフローチャートである。制御部１４１は、リーダライタ１１０が読み取ったタグ情報または端末情報を取得して、図１３に示すフローを繰り返し実行してよい。
【００８４】
制御部１４１は、まず、リーダライタ１１０から端末情報を取得したかを判定することにより、端末情報を検出したか否かを判定する（ステップＳ１１）。制御部１４１は、リーダライタ１１０から端末情報を取得しているとき、端末情報を検出したと判定する。制御部１４１は、リーダライタ１１０から端末情報を取得していないとき、端末情報を検出していないと判定する。
【００８５】
制御部１４１は、端末情報を検出していないと判定した場合（ステップＳ１１のＮｏ）、ユーザが電極１２０に触れておらず、情報処理システム２において電界通信が確立されていないと判定できるため、ログを記録することなく、このフローを終了する。
【００８６】
制御部１４１は、端末情報を検出したと判定した場合（ステップＳ１１のＹｅｓ）、いずれの端末情報とも対応付けられていないタグ情報を１つ検出したか否かを判定する（ステップＳ１２）。制御部１４１は、リーダライタ１１０から取得したタグ情報のうち、いずれの端末情報とも対応付けられていないタグ情報が１つである場合、いずれの端末情報とも対応付けられていないタグ情報を１つ検出したと判定できる。
【００８７】
制御部１４１は、いずれの端末情報とも対応付けられていないタグ情報を１つ検出したと判定した場合（ステップＳ１２のＹｅｓ）、検出した端末情報と、当該いずれの端末情報とも対応付けられていないタグ情報とを、同時に読み取られたものとして、対応付ける（ステップＳ１３）。
【００８８】
制御部１４１は、いずれの端末情報とも対応付けられていないタグ情報を１つ検出していないと判定した場合（ステップＳ１２のＮｏ）、いずれの端末情報とも対応付けられていないタグ情報を２つ以上検出したか否かを判定する（ステップＳ１４）。制御部１４１は、リーダライタ１１０から取得したタグ情報のうち、いずれの端末情報とも対応付けられていないタグ情報が２つ以上存在する場合、いずれの端末情報とも対応付けられていないタグ情報を２つ以上検出したと判定できる。
【００８９】
制御部１４１は、いずれの端末情報とも対応付けられていないタグ情報を２つ以上検出したと判定した場合（ステップＳ１４のＹｅｓ）、検出した端末情報と、検出された２つ以上のタグ情報のうち最後に検出されたタグ情報とを、同時に読み取られたものとして、対応付ける（ステップＳ１５）。最後に検出されたタグ情報とは、最も現在の時刻に近い時刻、つまり最も遅い時刻に検出されたタグ情報である。検出された複数のタグ情報のうち、最後に検出されたタグ情報以外のタグ情報は、何らかのエラー等により、本来他の端末情報と対応付けられるべきものであるところ、対応付けがされていない可能性がある。そのため、制御部１４１は、端末情報と、最後に検出されたタグ情報とを、同時に読み取られたものとして、対応付ける。
【００９０】
制御部１４１は、いずれの端末情報とも対応付けられていないタグ情報を２つ以上検出していないと判定した場合（ステップＳ１４のＮｏ）、リーダライタ１１０によるタグ情報の読み込みを、再度実行させる（ステップＳ１６）。いずれの端末情報とも対応付けられていないタグ情報を２つ以上検出していないと判定される場合、いずれの端末情報とも対応付けられていないタグ情報は０である。しかしながら、端末情報が検出されている以上、情報処理システム２において電界通信が確立されているため、本来であればタグ情報も検出されるはずである。そのため、いずれの端末情報とも対応付けられていないタグ情報が検出されていないということは、何らかのエラー等により、タグ情報が読み取られていない可能性がある。そのため、制御部１４１は、リーダライタ１１０によるタグ情報の読み込みを再度実行させることにより、エラー等により読み取られていないタグ情報の読み込みを行うことができる。この場合、制御部１４１は、ステップＳ１６の後、ステップＳ１２に戻って、フローを実行する。
【００９１】
このようにして、制御部１４１は、タグ情報と端末情報との対応付けを実行することができる。制御部１４１は、タグ情報と端末情報との対応付けに基づき、ログファイルに記録されたログから、場所ごとのログファイルと、ユーザごとのログファイルとを生成する。
【００９２】
図１４は、制御部１４１により生成された場所ごとのログファイルであり、図１５は、制御部１４１により生成されたユーザごとのログファイルである。制御部１４１は、図１２に示すログファイルにおいて上述の対応付け処理を行い、場所Ａとユーザ３とを対応付け、場所Ｂとユーザ２とを対応付けて、図１４および図１５に示す場所ごとおよびユーザごとのログファイルを生成する。このようにして、本実施形態に係る情報処理システム２によれば、電界通信端末１５０を有することにより、場所とユーザとを対応付けたログを記録することができる。
【００９３】
以上、実施形態を参照しながら、本発明について詳説した。しかしながら、本発明の要旨を逸脱しない範囲で、当業者であれば、該実施形態の修正や代用を成し得る。すなわち、本発明は、上記実施の形態にのみ限定されるものではなく、幾多の変形または変更が可能である。例えば、各構成部等に含まれる機能等は論理的に矛盾しないように再配置可能であり、複数の構成部等を１つに組み合わせたり、或いは分割したりすることが可能である。
【００９４】
また、本明細書の記載は、本明細書に記載される発明の全てを意味するものではない。換言すれば、本明細書の記載は、この出願では請求されていない発明の存在、すなわち、将来、分割出願されたり、補正により追加されたりする発明の存在を否定するものではない。
【００９５】
本明細書においては、例示という形態で本発明を開示したのであり、本明細書の記載内容を限定的に解釈するべきではない。
【００９６】
例えば、上記第２実施形態において、電界通信端末１５０は、磁界通信可能な非接触ＩＣカードを挿脱可能なカードホルダを含んで構成されてもよい。図１６は、電界通信端末の一変形例の概略構成を示す機能ブロック図であり、非接触ＩＣカード５３０が挿入された状態のカードホルダ５２０の機能ブロック図である。
【００９７】
カードホルダ５２０は、上記第２実施形態における電界通信端末１５０の本体１５１に対応する。カードホルダ５２０には、装着部１５２が取り付けられ、人体に着脱可能に構成される。カードホルダ５２０は、非接触ＩＣカード５３０を挿入可能に構成された挿入部（溝）を有する。ユーザは、非接触ＩＣカード５３０を挿入部に挿入した状態で、カードホルダ５２０を使用する。
【００９８】
非接触ＩＣカード５３０は、カード型の磁界通信装置であり、磁界通信によりリーダライタ１１０と情報を送受信することができる。非接触ＩＣカード５３０は、例えば非接触ＩＣカードを一意に特定できる所定の情報を記憶するとともに非接触ＩＣカード５３０における磁界通信処理を制御するＩＣチップ５３１と、磁界信号によりリーダライタ１１０と通信可能な磁界アンテナ５３２とを備える。非接触ＩＣカード５３０のユーザは、非接触ＩＣカード５３０を、リーダライタ１１０の通信位置にかざすことにより、磁界通信を行うことができる。
【００９９】
カードホルダ５２０は、磁界アンテナ５２２と、マッチング回路（共振回路）５２４と、第１結合電極５２５と、第２結合電極５２６とを備える。
【０１００】
磁界アンテナ５２２は、カードホルダ５２０において、非接触ＩＣカード５３０の挿入部への挿入状態で、非接触ＩＣカード５３０の磁界アンテナ５３２からの磁界信号を受信可能な位置に配置される。磁界アンテナ５２２は、マッチング回路５２４に接続されている。磁界アンテナ５２２では、磁界アンテナ５３２から送信される磁界信号が受信されると、受信した磁界信号に基づいてマッチング回路５２４に供給される制御信号が生成される。磁界アンテナ５２２で生成された制御信号は、マッチング回路５２４に供給される。
【０１０１】
マッチング回路５２４は、磁界アンテナ５２２に接続される。マッチング回路５２４は、インピーダンスを整合させるための回路である。マッチング回路５２４は、例えばコンデンサおよびインダクタ等を組み合わせた公知のＬＣ回路として構成することができる。マッチング回路５２４は、第１結合電極５２５および第２結合電極５２６に接続されている。
【０１０２】
第１結合電極５２５および第２結合電極５２６は、電界通信端末１５０の第１結合電極１５５および第２結合電極１５６に対応する。第１結合電極５２５および第２結合電極５２６は、ユーザがカードホルダ５２０を装着した状態においてユーザ（人体）と接触する位置に配置される。すなわち、第１結合電極５２５および第２結合電極５２６は、ユーザがカードホルダ５２０を装着した状態において、ユーザと電気的に結合された状態となる。
【０１０３】
ユーザは、非接触ＩＣカード５３０が挿入されたカードホルダ５２０を装着して、第２実施形態で説明した電極１２０に触ると、カードホルダ５２０において非接触ＩＣカード５３０の磁界信号が電界信号に変換され、第１結合電極５２５に結合した部位よりも末端側が伝送媒体として機能し、第２結合電極５２６に結合した部位よりも胴体側が端末線路として機能する。これにより、第２実施形態における情報処理システム２に対応するシステムが実現される。
【０１０４】
また、非接触ＩＣカード５３０を挿脱可能に構成することにより、ユーザは、非接触ＩＣカード５３０により磁界通信を実行させるか、非接触ＩＣカード５３０をカードホルダ５２０に挿入して電界通信を実行させるかを選択することができる。
【０１０５】
上述した情報処理システム１および２は、多様な態様において実装することができる。
【０１０６】
図１７は、情報処理システム２の一実装例を模式的に示す図であり、情報処理システム２を、手指衛生管理システム３として実装した例を示す図である。手指衛生管理システム３は、情報処理システム２が備える各構成要素に加え、ハンドソープ２１０ａ、２１０ｂ、２１０ｃおよび２１０ｄという、４つのハンドソープを備える。４つのハンドソープ２１０ａ、２１０ｂ、２１０ｃおよび２１０ｄを区別しない場合には、これらをまとめて「ハンドソープ２１０」と記載する。
【０１０７】
ハンドソープ２１０は、例えば洗面台等に設置される。ハンドソープ２１０は、例えばキャップ部を下に押し込むことによって、ハンドソープ２１０の容器内から洗浄液が出てくるように構成されている。各ハンドソープ２１０のキャップ部には、それぞれ上記実施形態で説明した電極１２０が装着されている。電極１２０の表面は、例えば絶縁フィルムで覆われることにより防水対応が施されていてよい。
【０１０８】
手指衛生管理システム３は、例えば病院等で使用することができる。例えば、電界通信端末１５０を装着した医師または看護師等が、手を洗うときにハンドソープ２１０のキャップ部を押し込むと、手と、キャップ部に装着された電極１２０とが電気的に結合することにより、電界通信が確立される。これにより、手指衛生管理システム３において、上記実施形態で説明した処理と同様の処理が実行されることによって、手を洗った医師または看護師等と、手を洗った場所と、手を洗った時刻とのログが記録される。このようにして、いつ、誰が、どこで手を洗ったかを記録することができる。
【０１０９】
手指衛生管理システム３において、電源が必要なリーダライタ１１０および情報処理装置１４０は、洗面台等から離れた位置に配置することができる。また、電界通信端末１５０自体は、電源を有さない。そのため、手指衛生管理システム３において、電極１２０が装着されたハンドソープ２１０が洗面台等の水回りに配置されているとしても、医師または看護師等が感電する恐れがなく、安全に使用可能である。
【０１１０】
図１８は、情報処理システム２の他の一実装例を模式的に示す図であり、情報処理システム２を、機械操作管理システム４として実装した例を示す図である。機械操作管理システム４は、情報処理システム２が備える各構成要素に加え、機械装置２２０ａ、２２０ｂ、２２０ｃおよび２２０ｄという、４つの機械装置を備える。４つの機械装置２２０ａ、２２０ｂ、２２０ｃおよび２２０ｄを区別しない場合には、これらをまとめて「機械装置２２０」と記載する。
【０１１１】
機械装置２２０は、例えば工場内に設置される。機械装置２２０は、例えば機械装置２２０を動作させるための操作を行う操作入力部を備える。操作入力部は、例えばボタンやタッチパネル等により構成されていてよい。作業員等により操作入力部が操作されると、機械装置２２０は、操作された内容に応じた動作を行う。各機械装置２２０の操作入力部には、それぞれ上記実施形態で説明した電極１２０が装着されている。
【０１１２】
例えば、電界通信端末１５０を装着した作業員等が、機械装置２２０を動作させるために操作入力部を手で操作すると、手と、操作入力部に装着された電極１２０とが電気的に結合することにより、電界通信が確立される。これにより、機械操作管理システム４において、上記実施形態で説明した処理と同様の処理が実行されることによって、操作入力を行った作業員等と、操作入力が行われた機械装置２２０の場所と、機械操作を行った時刻とのログが記録される。このようにして、いつ、誰が、どこで機械装置２２０を操作したかを記録することができる。
【０１１３】
機械装置２２０によっては、例えば講習を受講した所定の作業員のみが操作することを許可される場合がある。そこで、例えば、機械装置２２０を操作した作業員が、例えば予め登録された所定の作業員であることが機械操作管理システム４において確認された場合にのみ、機械装置２２０が動作するように設定されていてもよい。
【０１１４】
上記実施形態で説明した情報処理システムは、図１７および図１８で示す例に限られず、他の任意の形態で実装されることが可能である。
【符号の説明】
【０１１５】
１、２  情報処理システム
３  手指衛生管理システム
４  機械操作管理システム
１１０  リーダライタ
１１１、１４１  制御部
１１２  送信部
１１３  受信部
１１４、１４３  通信部
１２０  電極
１３０  電子タグ
１３１、１５４  送受信部
１３２、１４２、１５３  記憶部
１４０  情報処理装置
１５０  電界通信端末
１５１  本体
１５２  装着部
１５５、５２５  第１結合電極
１５６、５２６  第２結合電極
１６０  端末線路
１６０ａ、１６０ｂ  端部
２１０  ハンドソープ
２２０  機械装置
５２０  カードホルダ
５２２、５３２  磁界アンテナ
５２４  マッチング回路
５３１  ＩＣチップ
７００  誘電体
７００ａ  第１領域
７００ｂ  第２領域
７１０ａ  第１底面
７１０ｂ  第２底面
７２０  人体
７２０ａ  末端側
７２０ｂ  胴体側
【図１】
2019050504.tif 000003
【図２】
2019050504.tif 000004
【図３】
2019050504.tif 000005
【図４】
2019050504.tif 000006
【図５】
2019050504.tif 000007
【図６】
2019050504.tif 000008
【図７】
2019050504.tif 000009
【図８】
2019050504.tif 000010
【図９】
2019050504.tif 000011
【図１０】
2019050504.tif 000012
【図１１】
2019050504.tif 000013
【図１２】
2019050504.tif 000014
【図１３】
2019050504.tif 000015
【図１４】
2019050504.tif 000016
【図１５】
2019050504.tif 000017
【図１６】
2019050504.tif 000018
【図１７】
2019050504.tif 000019
【図１８】
2019050504.tif 000020
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
複数の電極と、
前記複数の電極のそれぞれに対応付けて接続される複数の電子タグであって、電子タグを一意に特定するタグ情報を記憶する記憶部をそれぞれ備える、複数の電子タグと、
前記複数の電子タグに接続され、前記複数の電極のいずれかが誘電体と電気的に結合すると読取信号を送信し、前記読取信号の反射波に含まれる、前記誘電体に結合した電極に対応付けて接続された電子タグの記憶部に記憶された前記タグ情報を読み取る、リーダライタと、
を含む、情報処理システム。
【請求項２】
前記リーダライタが読み取った前記タグ情報に基づき、前記誘電体に結合した電極の場所と、前記誘電体が該電極に触れた時刻とを対応付けたログファイルを生成する、情報処理装置をさらに含む、請求項１に記載の情報処理システム。
【請求項３】
前記誘電体に着脱可能な電界通信端末であって、該電界通信端末を一意に特定する端末情報を記憶する記憶部を備える電界通信端末をさらに含み、
前記リーダライタは、前記複数の電極のいずれかが、前記電界通信端末が装着された誘電体と電気的に結合すると、前記端末情報を読み取る、
請求項１に記載の情報処理システム。
【請求項４】
前記リーダライタが読み取った前記タグ情報および前記端末情報に基づき、前記誘電体に結合した電極の場所および前記端末情報または該端末情報に対応付けられたユーザに関するユーザ情報と、前記誘電体が該電極に触れた時刻とを対応付けたログファイルを生成する、情報処理装置をさらに含む、請求項３に記載の情報処理システム。
【請求項５】
複数の電極のいずれかが誘電体と電気的に結合したときに読取信号を送信し、前記読取信号の反射波に含まれる、前記誘電体に結合した電極に対応付けて接続された電子タグを一意に特定するタグ情報を読み取るリーダライタと通信可能に接続される通信部と、
前記通信部から取得した前記タグ情報に基づき、前記誘電体に結合した電極の場所と、前記誘電体が該電極に触れた時刻とを対応付けたログファイルを生成する制御部と
を備える、情報処理装置。
【請求項６】
複数の電極のいずれかが、電界通信端末が装着された状態の誘電体と電気的に結合したときに読取信号を送信し、前記読取信号の反射波に含まれる、前記誘電体に結合した電極に対応付けて接続された電子タグを一意に特定するタグ情報と、前記電界通信端末を一意に特定する端末情報とを読み取るリーダライタと通信可能に接続される通信部と、
前記通信部から取得した、前記タグ情報および前記端末情報に基づき、前記誘電体に結合した電極の場所および前記端末情報または該端末情報に対応付けられたユーザに関するユーザ情報と、前記誘電体が該電極に触れた時刻とを対応付けたログファイルを生成する制御部と
を備える、情報処理装置。
【請求項７】
前記制御部は、前記タグ情報と前記端末情報とが同時に読み取られた場合、該タグ情報と該端末情報とを対応付ける、請求項６に記載の情報処理装置。
【請求項８】
前記制御部は、前記端末情報を検出したとき、いずれの端末情報にも対応付けられていないタグ情報を１つ検出した場合、前記端末情報と前記タグ情報とを対応付ける、請求項６に記載の情報処理装置。
【請求項９】
前記制御部は、前記端末情報を検出した時、いずれの端末情報にも対応付けられていないタグ情報を２つ以上検出した場合、前記端末情報と、前記２つ以上のタグ情報のうち最後に検出されたタグ情報とを対応付ける、請求項６に記載の情報処理装置。
【請求項１０】
前記制御部は、前記対応付けを行った端末情報とタグ情報とに基づいて、前記複数の電極の場所ごとのログファイルおよび／または前記誘電体ごとのログファイルを生成する、請求項６乃至請求項９のいずれか一項に記載の情報処理装置。
【請求項１１】
複数の電極と、前記複数の電極のそれぞれに対応付けて接続される複数の電子タグと、前記複数の電子タグに接続されるリーダライタとを含む情報処理システムにより実行される情報処理方法であって、
前記複数の電極のいずれかが誘電体と電気的に結合すると、前記リーダライタが、読取信号を送信するステップと、
前記リーダライタが、前記読取信号の反射波に含まれる、前記誘電体に結合した電極に対応付けて接続された電子タグの記憶部に記憶された前記電子タグを一意に特定するタグ情報を読み取るステップと
を含む、情報処理方法。
【請求項１２】
前記情報処理システムは、前記誘電体に着脱可能な電界通信端末をさらに含み、
前記複数の電極のいずれかが、前記電界通信端末が装着された誘電体と電気的に結合すると、前記リーダライタが、前記電界通信端末を一意に特定する端末情報を読み取るステップ
を含む、請求項１１に記載の情報処理方法。